(57)【要約】【課題】煩雑な操作やビデオ出力方式に関する知識を要することなく、適正なビデオ出力方式を設定する。【解決手段】カウント値Ｉに「１」を設定し（ステップＳ１０３）、このカウント値Ｉより特定されるＩ番目のビデオ出力方式でテストパターン画像データを一定時間ビデオ出力端子より出力する（ステップＳ１０４）。これにより、ＴＶ受像機の表示パネルには、テストパターン画像データに基づくテストパターン画像が表示されることとなる。次に、ＲＥＣスルーにて出力先のモニタ画像を取り込み（ステップＳ１０５）、ステップＳ１０４で設定したビデオ出力方式が適正であったか否かを判定する（ステップＳ１０６）。「適正」と判断された場合には、この「適正」と判断されたＩ番目のビデオ出力方式を設定する（ステップＳ１０７）。【選択図】図３
2007243516.tif 000002
【特許請求の範囲】
【請求項１】
複数種のビデオ出力方式のいずれかを設定する設定手段と、
この設定手段により設定されたビデオ出力方式に従って画像データを外部出力する外部出力手段と、
この外部出力手段から出力された画像データに基づき画像を再生する外部再生装置の再生画像を撮像する撮像手段と、
この撮像手段により撮像された前記再生画像に基づき、前記設定手段により設定されたビデオ出力方式が適正であるか否かを判定する判定手段と、
この判定手段により前記ビデオ出力方式が適正でないと判定された場合、前記設定手段により設定されたビデオ出力方式を他のビデオ出力方式に設定変更する設定変更手段と
を備えることを特徴とする撮像装置。
【請求項２】
前記外部出力手段は、ケーブルを介して前記外部再生装置に前記画像データを出力する接続手段を備え、
この接続手段に前記ケーブルが接続されたとき、前記各手段を動作させる制御手段を備えることを特徴とする請求項１記載の撮像装置。
【請求項３】
前記外部出力手段は、テスト用の画像データを外部出力し、
前記撮像手段は、前記外部再生装置が再生した前記テスト用の画像データに基づくテスト用再生画像を撮像することを特徴とする請求項１又は２記載の撮像装置。
【請求項４】
前記判定手段により前記ビデオ出力方式が適正あると判定された場合、当該ビデオ出力方式の設定を確定化する確定化手段を更に備えることを特徴とする請求項３記載の撮像装置。
【請求項５】
前記設定変更手段は、前記判定手段により前記ビデオ出力方式が適正でないと判定された場合、前記設定されたビデオ出力方式を他の複数種のビデオ出力方式のいずれかに設定変更する動作を繰り返し実行し、
前記外部出力手段、撮像手段、判定手段は、前記設定変更手段がビデオ出力方式を他のビデオ出力方式に設定変更する都度動作することを特徴とする請求項１から４にいずれか記載の撮像装置。
【請求項６】
前記設定変更手段により設定変更された全てのビデオ出力方式が前記判定手段により適正でないと判定された場合、所定のビデオ出力方式を設定する最終設定手段を備えることを特徴とする請求項１から５にいずれか記載の撮像装置。
【請求項７】
前記設定変更手段により設定変更された全てのビデオ出力方式が前記判定手段により適正でないと判定された場合、前記外部出力手段は画像データの出力を停止させることを特徴とする請求項１から５にいずれか記載の撮像装置。
【請求項８】
前回の設定時における前記判定手段の判定結果を記憶する記憶手段と、
この記憶手段の記憶内容に基づき、前回設定時において前記設定変更手段により設定変更された全てのビデオ出力方式が前記判定手段により適正でないと判定された場合に、前記外部出力出力手段、撮像手段、判定手段及び設定変更手段を動作させる制御手段と
を備えることを特徴とする請求項１から７にいずれか記載の撮像装置。
【請求項９】
複数種のビデオ出力方式のいずれかを設定し、
この設定されたビデオ出力方式に従って画像データを外部出力し、
この外部出力された画像データに基づき画像を再生する外部再生装置の再生画像を撮像し、
この撮像された前記再生画像に基づき、前記設定されたビデオ出力方式が適正であるか否かを判定し、
この判定により前記ビデオ出力方式が適正でないと判定された場合、前記設定されたビデオ出力方式を他のビデオ出力方式に設定変更することを特徴とするビデオ出力方式設定方法。
【発明の詳細な説明】
【技術分野】
【０００１】
本発明は、外部モニターへの画像データ出力機能を備えた撮像装置及びこれに用いられるビデオ出力方式設定方法に関するものである。
【背景技術】
【０００２】
ＴＶ受像機等の外部モニターにおけるビデオ信号の出力方式には、ＮＴＳＣ方式、ＰＡＬ方式、ＳＥＣＡＭ方式等、様々な方式が存在する。したがって、デジタルカメラやビデオカメラのように、ビデオ信号の外部出力機能を備えた電子機器からの出力画像をビデオ信号の送信方式が異なる外部モニターで適正に再生可能とするためには、当該電子機器にビデオ出力方式の切り替えを行う機能を備える必要がある。このため、前記電子機器に切替スイッチを設け、切替スイッチを操作することによりビデオ信号の送信方式を設定変更し、ビデオ信号の送信方式が異なる外部モニターであっても適正に画像が再生できるようにしている（例えば、特許文献１参照。）。
【特許文献１】特開２００４−１３８９５４号公報
【発明の開示】
【発明が解決しようとする課題】
【０００３】
しかしながら、このように手動操作によりビデオ出力方式を設定する電子機器においては、再生する外部モニターのビデオ出力方式に応じてスイッチ操作を行わなければならず、煩雑となる。また、当該ユーザにおいて外部モニターのビデオ出力方式に関する知識がなければ、適正な設定及び再生が不可能となる。
【０００４】
さらに、あるビデオ出力方式を設定して再生を行った際に再生画像の鮮明度等が不満足である場合、それが画像本来の不鮮明度等に起因するものであるのか、設定したビデオ出力方式が不適正であることに起因するのかをユーザにおいて判断しなければならず、不信感をもちながら再生画像を観賞することとなってしまう。
【０００５】
本発明は、かかる従来の課題に鑑みてなされたものであり、煩雑な操作やビデオ出力方式に関する知識を要することなく、適正なビデオ出力方式を設定することのできる撮像装置及びビデオ出力方式設定方法を提供することを目的とする。
【課題を解決するための手段】
【０００６】
前記課題を解決するため請求項１に係る撮像装置にあっては、複数種のビデオ出力方式のいずれかを設定する設定手段と、この設定手段により設定されたビデオ出力方式に従って画像データを外部出力する外部出力手段と、この外部出力手段から出力された画像データに基づき画像を再生する外部再生装置の再生画像を撮像する撮像手段と、この撮像手段により撮像された前記再生画像に基づき、前記設定手段により設定されたビデオ出力方式が適正であるか否かを判定する判定手段と、この判定手段により前記ビデオ出力方式が適正でないと判定された場合、前記設定手段により設定されたビデオ出力方式を他のビデオ出力方式に設定変更する設定変更手段とを備える。
【０００７】
また、請求項２に係る撮像装置にあっては、前記外部出力手段は、ケーブルを介して前記外部再生装置に前記画像データを出力する接続手段を備え、この接続手段に前記ケーブルが接続されたとき、前記各手段を動作させる制御手段を備える。
【０００８】
また、請求項３に係る撮像装置にあっては、前記出力手段は、テスト用の画像データを出力し、前記撮像手段は、前記外部再生装置が再生した前記テスト用の画像データに基づくテスト用再生画像を撮像する。
【０００９】
また、請求項４に係る撮像装置にあっては、前記判定手段により前記ビデオ出力方式が適正あると判定された場合、当該ビデオ出力方式の設定を確定化する確定化手段を更に備える。
【００１０】
また、請求項５に係る撮像装置にあっては、前記外部出力手段、設定変更手段は、前記判定手段により前記ビデオ出力方式が適正でないと判定された場合、前記設定されたビデオ出力方式を他の複数種のビデオ出力方式のいずれかに設定変更する動作を繰り返し実行し、前記撮像手段、判定手段は、前記設定変更手段がビデオ出力方式を他のビデオ出力方式に設定変更する都度動作する。
【００１１】
また、請求項６に係る撮像装置にあっては、前記設定変更手段により設定変更された全てのビデオ出力方式が前記判定手段により適正でないと判定された場合、所定のビデオ出力方式を設定する最終設定手段を備える。
【００１２】
また、請求項７に係る撮像装置にあっては、前記設定変更手段により設定変更された全てのビデオ出力方式が前記判定手段により適正でないと判定された場合、前記外部出力手段は画像データの出力を停止させる。
【００１３】
また、請求項８に係る撮像装置にあっては、前回の設定時における前記判定手段の判定結果を記憶する記憶手段と、この記憶手段の記憶内容に基づき、前回設定時において前記設定変更手段により設定変更された全てのビデオ出力方式が前記判定手段により適正でないと判定された場合に、前記外部出力手段、撮像手段、判定手段及び設定変更手段を動作させる制御手段とを備える。したがって、前回の画像再生時において適正なビデオ出力方式を設定されている場合には、撮像手段、判定手段及び設定手段が動作することはない。よって、無用な撮像や判定、設定を伴うことなく、適正なビデオ出力方式を設定することができる。
【００１４】
また、請求項９に係る画像再生方法にあっては、複数種のビデオ出力方式のいずれかを設定し、この設定されたビデオ出力方式に従って画像データを外部出力し、この外部出力された画像データに基づき画像を再生する外部再生装置の再生画像を撮像し、この撮像された前記再生画像に基づき、前記設定されたビデオ出力方式が適正であるか否かを判定し、この判定により前記ビデオ出力方式が適正でないと判定された場合、前記設定されたビデオ出力方式を他のビデオ出力方式に設定変更する。
【発明の効果】
【００１５】
以上説明したように本発明によれば、設定されたビデオ出力方式が適正でない場合には、ビデオ出力方式を設定変更することから、外部再生装置が採用しているビデオ出力方式と一致する適正なビデオ出力方式を自動的に設定することができる。したがって、ユーザにおいて、煩雑なビデオ出力方式の設定操作を行ったり、外部再生装置のビデオ出力方式に関する知識を要することなく、適正なビデオ出力方式を設定することが可能となる。また、このように、適正なビデオ出力方式が自動設定されることから、ユーザにおいてビデオ出力方式の設定に関して不信感をもちながら再生画像を観賞することもなく、外部再生装置での再生画像の観賞を充分に楽しむことができる。
【発明を実施するための最良の形態】
【００１６】
以下、本発明の一実施の形態を図に従って説明する。図１は、本発明の一実施の形態を適用したシステムの構成図であり、このシステムはＴＶ受像機１とデジタルカメラ２とで構成されている。ＴＶ受像機１は、ＮＴＳＣ方式、ＰＡＬ方式、ＳＥＣＡＭ方式等の複数のビデオ出力方式のうち、いずれかのビデオ出力方式を採用しているものであり、ＬＣＤ、ＰＤＰ、ＦＥＤ等の表示パネル１１を有し、ビデオケーブル３を接続可能である。デジタルカメラ２は、一般的な外部構成であって撮像レンズ部２１、電子ファインダー／モニター表示部２２等を有するとともに、ビデオケーブル３を接続可能なビデオ出力端子２３を有している。
【００１７】
図２は、前記デジタルカメラ２の回路構成を示すブロック図である。図において、ＣＣＤ２４は光学系により結像された被写体画像を電気信号に変換して出力し、アンプ２５はこの電気信号を増幅する。Ａ／Ｄコンバータ２６は、この増幅されたアナログ信号をデジタル信号に変換してＴＧ（Timming Generater）２７に入力する。このＴＧ２７は、ＣＣＤ２４を駆動する駆動回路（Driver）２８を制御するタイミング信号を発生し、駆動回路２８は、ＴＧ２７からのタイミング信号に基づいてＣＣＤ２４を駆動する。
【００１８】
圧縮／伸張部２９は、ＴＧ２７を介して取り込んだデジタル画像データを符号化／復号化により圧縮／伸張処理する。ＳＧ（Signal Generater）３０は、デジタル画像データに同期信号等を付加して、デジタルビデオ信号を作成する。この作成されたデジタルビデオ信号は、ＶＲＡＭ（ビデオＲＡＭ）３１に記憶されるとともに、Ｄ／Ａコンバータ３２、及びアンプ３３を介して、前記ビデオ出力端子２３と電子ファインダー／モニター表示部（ＬＣＤ）２２に与えられ、電子ファインダー／モニター表示部２２は入力されたアナログビデオ信号に基づいて液晶を駆動して画像を表示する。
【００１９】
キー入力部３４には、電源のオン・オフ時に操作される電源キーや画像データを後述するフラッシュメモリ３５に記憶させる際に操作されるシャッターキー、その他の機能キーが設けられている。
【００２０】
ＣＰＵ３６は、これらキー入力部３４から入力されるキー操作情報とＲＯＭ３７内に格納されているプログラムに基づき、ＲＡＭ３８の一部をワークエリアとして使用しつつ動作し、このデジタルカメラ２において必要な全ての処理を実行するとともに各部を制御する。また、ＲＯＭ３７には、ＮＴＳＣ方式、ＰＡＬ方式、ＳＥＣＡＭ方式等のＮ個のビデオ出力方式が記憶されているとともに、テストパターン用の画像データであるテストパターン画像データが記憶されている。ＣＰＵ３６は、前記Ｎ個のビデオ出力方式でビデオ出力端子２３からテストパターン画像データを出力させる制御を実行する。
【００２１】
ＤＲＡＭ３９は、ＣＰＵ３６の指示により取り込んだデジタル画像データを一時記憶するメモリである。フラッシュメモリ３５は複数個の記憶領域を有し、各記憶領域に圧縮された画像データを記憶するメモリである。Ｉ／Ｏポート４０は、シリアル信号に変換された画像データ等を入出力するインターフェースであり、シリアルＩ／Ｏ端子４１が接続されている。
【００２２】
以上の構成に係る本実施の形態において、本システムを使用するに際してユーザは、デジタルカメラ２を表示パネル１１の前方床面上等であって、表示パネル１１の全体（一部でもよい）を撮影できる位置に固定しておく。この状態において、デジタルカメラ２のＣＰＵ３６は、ＲＯＭ３７に格納されているプログラムに基づき、図３のフローチャートに示すように処理を実行する。先ず、前記ビデオケーブル３がビデオ出力端子２３に挿入されたか否かを判断し（ステップＳ１０１）、挿入されるまで待機する。そして、ユーザがビデオケーブル３の一端部をＴＶ受像機１に接続させるとともに、他端部をビデオ出力端子２３に接続させると、ステップＳ１０１からステップＳ１０２に進んで、ステップＳ１０２以降の処理を開始する。したがって、ビデオケーブル３の他端部をビデオ出力端子２３に接続させるという簡単かつ必要な準備行為により、迅速にビデオ出力方式の設定処理を開始させることができる。
【００２３】
そして、ステップＳ１０２では、前回接続時におけるビデオ出力方式判定が適正判定であったか否かを判断する。すなわち、前回のビデオ出力方式判定結果は、後述するステップＳ１０８及びＳ１１２に示すように、ＲＡＭ３８に記憶されている。したがって、ＣＰＵ３６はＲＡＭ３８に記憶されている判定結果に基づき、前回が適正判定であったか否かを判断する。この判断の結果、前回が適正判定であった場合には、ステップＳ１０３〜Ｓ１１３の処理を行うことなく、ステップＳ１１４に進みビデオ出力方式の自動設定を終了する。
【００２４】
つまり、同一のユーザであればこのデジタルカメラ２を同一のＴＶ受像機１に接続して画像を観賞する確率が高いと想定される。したがって、前回適正判定がなされて、あるビデオ出力方式が設定されているならば、このビデオ出力方式を変更する必要性は低い。よって、この場合にはビデオ出力方式の自動設定を終了して、即時に画像再生を可能にする。これにより、後述する撮像や判定、設定を伴う無用に行うことなく、迅速に適正なビデオ出力方式を設定することができる。
【００２５】
他方、ステップＳ１０２での判断の結果、前回が適正でないとする不適正判定であった場合には、カウント値Ｉに「１」を設定し（ステップＳ１０３）、このカウント値Ｉより特定されるＩ番目のビデオ出力方式で前記テストパターン画像データを一定時間ビデオ出力端子２３より出力する（ステップＳ１０４）。これにより、ＴＶ受像機１の表示パネル１１には、後述するようにビデオ出力方式が適正であれば、テストパターン画像データに基づくテストパターン画像が適正に表示され、不適正であれば、テストパターン画像データに基づくテストパターン画像が適正でない状態で表示されることとなる。次に、ＲＥＣスルーにて出力先のモニタ画像を取り込む（ステップＳ１０５）。つまり、駆動回路２８により駆動されたＣＣＤ２４からのデジタル画像データをＴＧ２７を介して取り込み、ＤＲＡＭ３９に一時記憶させる。したがって、ＤＲＡＭ３９には、ＴＶ受像機１の表示パネル１１に再生表示されたテストパターン画像を撮像した撮像画像の画像データである再生画像データが一時記憶されることとなる。
【００２６】
そして、このＤＲＡＭ３９一次記憶された画像データに基づく画像ＡとＲＯＭ３７に記憶されているテストパターン画像データに基づく画像Ｂとを比較することにより、前記ステップＳ１０４で設定したビデオ出力方式が適正であったか否かを判定する（ステップＳ１０６）。この判定は、例えば輝度ムラ、ガンマ特性、色バランス等に基づいて行う。すなわち、前記画像Ａから輝度ムラ領域を検出し、この検出した輝度ムラ領域の輝度ムラが画像Ｂよりも所定以上大きいか否かを判断し、大きくない場合には「適正」と判定し、大きい場合には「適正でない」と判定する。また、画像Ａからガンマ特性を算出し、この算出したガンマが画像Ｂと異なるか否かを判断し、同一である場合には「適正」と判定し、異なる場合には「適正でない」と判定する。あるいは、画像Ａから色度座標を検出し、この検出した色度座標から色温度又は色バランスを算出し、この算出した色バランスが画像Ｂの色バランスと異なるか否かを判断し、同一である場合には「適正」と判定し、異なる場合には「適正でない」と判定する。
【００２７】
このとき、判定に用いられる画像及び再生画像はテスト用の画像データに基づくものであることから、両者を比較してビデオ出力方式が適正であるか否かを判定する際、テストパターンが有する特徴に基づき的確な比較が可能となり精度の高い判定結果を得ることができる。
【００２８】
そして、「適正」と判断された場合には、この「適正」と判断されたＩ番目のビデオ出力方式を設定する（ステップＳ１０７）。また、この判定結果である適正判定及び適正判定されたビデオ出力方式をＲＡＭ３８に記憶して（ステップＳ１０８）、この自動設定を終了する（ステップＳ１１４）。
【００２９】
一方、ステップＳ１０６での判断の結果、「適正でない」と判定された場合には、カウント値ＩがＮとなったか否かを判断し（ステップＳ１０９）、Ｉ≠Ｎであるならば、カウント値Ｉをカウントアップさせて（ステップＳ１１３）、ステップＳ１０４からの処理を繰り返す。そして、ステップＳ１０４からの処理がＮ回繰り返されることにより、Ｉ＝Ｎとなった場合、つまりＮ個のビデオ出力方式が全て「適正でない」と判定された場合には、電子ファインダー／モニター表示部２２に警報画面を表示させて（ステップＳ１１０）、これを報知する。また、デフォルトの所定のビデオ出力方式を設定する（ステップＳ１１１）。したがって、当該デジタルカメラ２においてＴＶ受像機１に対し適正なビデオ出力方式を設定不可能であった場合であっても、所定のビデオ出力方式での画像データ出力は行うことはできる。
【００３０】
しかる後に、前記判定結果である不適正判定（「適正でない」）をＲＡＭ３８に記憶して（ステップＳ１１２）、この自動設定を終了する（ステップＳ１１４）。したがって、この自動設定終了後の画像再生においてＣＰＵ３６は、フラッシュメモリ３５から読み出した画像データを、ステップＳ１０７又はステップＳ１１１で設定されたビデオ出力方式でビデオ出力端子２３から出力させることとなる。
【００３１】
なお、本実施の形態においては、ステップＳ１０９でＩ＝Ｎとなった場合、ステップＳ１１１で所定のビデオ出力方式を設定するようにしたが、所定のビデオ出力方式を設定することなく、ビデオ出力端子２３からの画像データの出力を停止させるようにしてもよい。これにより、ＴＶ受像機１との関係においてデジタルカメラ２が適正なビデオ出力方式を設定不可能であった場合において、無用な画像データの出力を未然に防止することができる。
【００３２】
図４は、本発明の他の実施の形態おける処理手順を示すフローチャートである。先ず、前記ビデオケーブル３がビデオ出力端子２３に挿入されたか否かを判断し（ステップＳ２０１）、挿入されるまで待機する。そして、ユーザがビデオケーブル３の一端部をＴＶ受像機１に接続させるとともに、他端部をビデオ出力端子２３に接続させると、ステップＳ２０１からステップＳ２０２に進み、カウント値Ｉに「１」を設定し（ステップＳ２０２）、このカウント値Ｉより特定されるＩ番目のビデオ出力方式でフラッシュメモリ３５から読み出した再生画像の画像データをビデオ出力端子２３より出力する（ステップＳ２０３）。
【００３３】
これにより、ＴＶ受像機１の表示パネル１１には、ビデオ出力方式が適正であれば、フラッシュメモリ３５から読み出した画像データに基づく再生画像が適正に表示され、不適正であれば、前記画像データに基づく再生画像が適正でない状態で表示されることとなる。次に、前述した実施の形態と同様に、ＲＥＣスルーにて出力先のモニタ画像を取り込む（ステップＳ２０４）。つまり、駆動回路２８により駆動されたＣＣＤ２４からのデジタル画像データをＴＧ２７を介して取り込み、ＤＲＡＭ３９に一時記憶させる。したがって、ＤＲＡＭ３９には、ＴＶ受像機１の表示パネル１１に表示された再生画像を撮像した撮像画像の画像データである再生画像データが一時記憶されることとなる。
【００３４】
そして、この一次記憶された画像データに基づく再生画像Ａと前記フラッシュメモリ３５に記憶されている画像データに基づく画像Ｂとを比較することにより、前記ステップＳ２０３で設定したビデオ出力方式が適正であったか否かを判定する（ステップＳ２０５）。この判定は、前述した実施の形態と同様に、例えば輝度ムラ、ガンマ特性、色バランス等に基づいて行う。そして、「適正」と判断された場合には、この「適正」と判断されたＩ番目のビデオ出力方式を設定して（ステップＳ２０６）、この設定したビデオ出力方式でフラッシュメモリ３５から読み出した再生画像の画像データをビデオ出力端子２３より出力する処理を続行する（ステップＳ２１１）。
【００３５】
一方、ステップＳ２０５での判断の結果、「適正でない」と判定された場合には、カウント値ＩがＮとなったか否かを判断し（ステップＳ２０７）、Ｉ≠Ｎであるならば、カウント値Ｉをカウントアップさせて（ステップＳ２１０）、ステップＳ２０３からの処理を繰り返す。そして、ステップＳ２０３からの処理がＮ回繰り返されることにより、Ｉ＝Ｎとなった場合、つまりＮ個のビデオ出力方式が全て「適正でない」と判定された場合には、電子ファインダー／モニター表示部２２に警報画面を表示させて（ステップＳ２０８）、これを報知する。また、デフォルトの所定のビデオ出力方式を設定して（ステップＳ２０９）、この設定したビデオ出力方式でフラッシュメモリ３５から読み出した再生画像の画像データをビデオ出力端子２３より出力する処理を続行する（ステップＳ２１１）。
【００３６】
なお、本発明において判定するビデオ方式は、ＮＴＳＣ方式、ＰＡＬ方式、ＳＥＣＡＭ方式に限らず、ハイビジョン出力方式やデジタルビデオ出力方式等、全ての出力方式に適用し得ることは勿論である。また、実施の形態においては、ビデオケーブル３を用いた有線により、画像データをＴＶ受像機１に外部出力するようにしたが、無線により画像データをＴＶ受像機１に外部出力するようにしてもよい。
【図面の簡単な説明】
【００３７】
【図１】本発明の一実施の形態を適用したシステムの構成図である。
【図２】本発明の一実施の形態に係るデジタルカメラの回路構成を示すブロック図である。
【図３】同実施の形態における処理手順を示すフローチャートである。
【図４】本発明の他の実施の形態における処理手順を示すフローチャートである。
【符号の説明】
【００３８】
１    ＴＶ受像機
２    デジタルカメラ
３    ビデオケーブル
１１    表示パネル
２１    撮像レンズ部
２２    電子ファインダー／モニター表示部
２３    ビデオ出力端子
２４    ＣＣＤ
２５    アンプ
２６    Ａ／Ｄコンバータ
２７    ＴＧ
２８    駆動回路
２９    圧縮／伸張部
３２    Ｄ／Ａコンバータ
３４    キー入力部
３５    フラッシュメモリ
３６    ＣＰＵ
３７    ＲＯＭ
３８    ＲＡＭ
３９    ＤＲＡＭ
【図１】
2007243516.tif 000003
【図２】
2007243516.tif 000004
【図３】
2007243516.tif 000005
【図４】
2007243516.tif 000006